(57)【要約】【課題】表示領域周辺（特に下額縁）のサイズの縮小化と高品質画像の両立が可能な表示装置を提供する。【解決手段】互いに隣接する引出配線が、それぞれ走査信号線と同一材料の同層配線１６０或いは映像信号線と同一材料の同層配線１６１が並行して配列された第１部分と、第１部分に隣接して配列され走査信号線と同一材料の同層配線１６０と映像信号線と同一材料の同層配線１６１が並行する第２部分と、第２部分に隣接して配列され走査信号線と同一材料の同層配線１６０が並行する第３部分とを有する表示装置とする。【選択図】図４
2016218130.tif 000002
【特許請求の範囲】
【請求項１】
複数の走査信号線及び複数の映像信号線が形成された表示領域と、前記表示領域の周辺に配置され一端が前記複数の映像信号線に他端がドライバに接続された複数の引出配線が形成された周辺領域とを備えた表示装置であって、
前記複数の引出配線は、それぞれ前記複数の走査信号線と同層配線或いは前記複数の映像信号線と同層配線が並行して配列された第１部分と、前記第１部分に隣接して配列され前記複数の走査信号線と同層配線と前記複数の映像信号線と同層配線とが交互に並行する第２部分と、前記第２部分に隣接して配列され前記第１部分と同層配線が並行する第３部分とを有することを特徴とする表示装置。
【請求項２】
請求項１記載の表示装置において、
前記引出配線は、前記第１部分及び前記第３部分において前記第２方向に延在し、前記第２部分において前記第２方向に対して斜め方向に延在していることを特徴とする表示装置。
【請求項３】
第１方向に延在する複数の走査信号線及び前記第１方向と直交する第２方向に延在する複数の映像信号線が形成された表示領域と、前記表示領域の周辺に配置され一端が前記映像信号線に他端がドライバに接続された複数の引出配線が形成された周辺領域とを備えた表示装置において、
複数の前記引出配線は、前記表示領域側で前記第２方向に延在する第１部分と、前記第２方向に対して斜め方向に延在する第２部分と、前記ドライバ側で前記第２方向に延在する第３部分とを有し、
前記第１部分において互いに隣接する前記引出配線は、前記走査信号線と同一材料の同層配線または前記映像信号線と同一材料の同層配線であり、
前記第２部分において互いに隣接する前記引出配線は積層配線構造を有し、隣接する引出配線の一方は映像信号線と同一材料の同層配線であり、他方は走査信号線と同一材料の同層配線であることを特徴とする表示装置。
【請求項４】
請求項３記載の表示装置において、
前記第３部分において互いに隣接する前記引出配線は、前記走査信号線と同一材料の同層配線であることを特徴とする表示装置。
【請求項５】
請求項４記載の表示装置において、
前記表示装置は前記複数の走査信号線及び複数の映像信号線が形成された第１基板と、前記第１基板に対向して配置された第２基板とを有し、
前記第３部分における前記引出配線は、前記第２基板の額縁部を跨いて配置されていることを特徴とする表示装置。
【請求項６】
請求項４記載の表示装置において、
前記第２部分において前記引出配線が前記走査信号線と同一材料の同層配線であった場合、前記第３部分において積層配線構造を有し前記走査信号線の一部が前記映像信号線と同一材料の同層配線に接続されていることを特徴とする表示装置。
【請求項７】
請求項６記載の表示装置において、
前記表示装置は前記複数の走査信号線及び複数の映像信号線が形成された第１基板と、前記第１基板に対向して配置された第２基板とを有し、
前記第３部分における前記引出配線は、前記第２基板の額縁部を跨いて配置されており、前記第２基板の額縁部を跨いで配置されている前記引出配線は前記走査信号線と同一材料の同層配線であることを特徴とする表示装置。
【請求項８】
請求項３記載の表示装置において、
前記第２部分における前記引出配線が前記走査信号線と同一材料で同層配線の場合、前記引出配線は前記第１部分において前記映像信号線と同一材料の同層配線に接続されており、
前記第２の部分における前記引出配線が前記映像信号線と同一材料で同層配線の場合、前記引出配線は前記第１部分において前記走査信号線と同一材料で同層配線に接続されていることを特徴とする表示装置。
【請求項９】
請求項８記載の表示装置において、
前記表示装置は前記複数の走査信号線及び複数の映像信号線が形成された第１基板と、前記第１基板に対向して配置された第２基板とを有し、
前記第３部分における前記引出配線は、前記第２基板の額縁部を跨いて配置されており、前記第２基板の額縁部を跨いで配置されている前記引出配線は前記走査信号線と同一材料の同層配線であることを特徴とする表示装置。
【発明の詳細な説明】
【技術分野】
【０００１】
本発明は、表示装置に関する。
【背景技術】
【０００２】
表示装置に使用される例えば液晶表示パネルは、画素電極および薄膜トランジスタ（ＴＦＴ）等を有する画素がマトリクス状に形成されたＴＦＴ基板と、ＴＦＴ基板に対向して、ＴＦＴ基板の画素電極と対応する場所にカラーフィルタ等が形成された対向基板が配置され、ＴＦＴ基板と対向基板の間に液晶が挟持されている。そして液晶分子による光の透過率を画素毎に制御することによって画像を形成している。
【０００３】
液晶表示装置やＯＬＥＤ（organic light emitting diode display）等の表示装置はフラットで軽量であることから、色々な分野で用途が広がっている。携帯電話やＤＳＣ（Digital Still Camera）等には、小型の表示装置が広く使用されている。
【０００４】
表示パネルでは額縁部において設計上信号線が斜め配置となる箇所が生じる。図７はＴＦＴ基板の表示領域および周辺領域におけるゲート電極配線とソース電極配線を模式的に示す図の一例であり、（ａ）が平面図、（ｂ）がＡ−Ｂ線での断面図である。このＴＦＴ基板は、ガラス基板４０７上に形成された複数本の走査信号線４０５（図７（ａ）では水平方向）と、複数本の走査信号線４０５とそれぞれ交差する複数本の映像信号線４０６（図７（ａ）では垂直方向）と、複数本の走査信号線４０５および複数本の画像信号線４０６の各交点近傍に設けられた複数のＴＦＴ（図示せず）と、複数のＴＦＴのそれぞれに接続された複数の画素電極４０１からなる画像表示部４００と、画像表示部４００の周辺（図１では画像表示部４００の下方）に設けられ、複数本の走査信号線４０５に信号をそれぞれ入力するための複数の走査信号線端子４０２と、画像表示部４００の周辺に設けられ、複数本の映像信号線４０６に信号をそれぞれ入力するための複数の映像信号線端子４０３と、画像表示部４００の周辺に設けられ、複数本の走査信号線４０５をそれぞれ複数の走査信号線端子４０２に引き回す複数本の走査信号引出配線４０８、４１０と、画像表示部４００の周辺に設けられ、複数本の映像信号線４０６をそれぞれ複数の映像信号線端子４０３に引き回す複数本の映像信号引出配線４１２とを有する。複数本の走査信号引出配線４０８、４１０は、走査信号線４０５を構成する導電材料で形成された第１引出配線４０８と、第１引出配線４０８を覆う絶縁層４０９上に、映像信号線４０６を構成する導電材料から形成された第２引出配線４１０から構成される。破線で示す第１引出配線４０８と実線で示す第２引出配線４１０とは、図７（ｂ）で示すように絶縁層４０９を介して多層配線となっている。この構造を実現するために第１引出配線４０８は走査信号線４０５と同層配線とし、第２引出配線４１０は映像信号線４０６と同層配線にすると共に絶縁層４０９に設けた第１コンタクトホール４１１を介して走査信号線４０５と第２引出配線とが接続される。なお、映像信号線４０６と同層の第２引出配線４１０は第２コンタクトホール４１３を介して走査信号配線４０５と同層の配線に再度接続された後、走査信号線端子４０２に接続される。これにより、画素ピッチが小さくなり引出配線本数が増え隣接する引出配線のピッチが小さくなっても配線間の短絡を防止できるため、周辺領域のサイズ縮小が可能となる。隣接する引出配線を多層とする技術については、例えば特許文献１や特許文献２に開示されている。
【先行技術文献】
【特許文献】
【０００５】
【特許文献１】特開２００５−９１９６２号公報
【特許文献２】特開２００４−５３７０２号公報
【発明の概要】
【発明が解決しようとする課題】
【０００６】
表示領域の周辺領域は縮小化の方向にあり、映像信号引出配線の斜め配線部におけるピッチの縮小化の要求も高まると思われる。そこで発明者らは、隣接する引出配線を多層とする技術は表示領域周辺（特に、斜め配線が配置される下額縁）のサイズ縮小に有効であると考え、特に携帯機器で用いられている小型の表示パネルにおいて、この技術の映像信号線への適用について検討を行った。走査信号線（ゲート線）としてモリブデン（Ｍｏ）系材料を、映像信号線（ドレイン線）としてアルミニウム（Ａｌ）系材料を用いた。その結果、画像にスジが出る画像不良の生じることが分かった。
【０００７】
本発明の目的は、表示領域周辺（特に下額縁）のサイズの縮小化と高品質画像の両立が可能な表示装置を提供することにある。
【課題を解決するための手段】
【０００８】
上記目的を達成するための一実施形態として、第１方向に延在する複数の走査信号線及び前記第１方向と直交する第２方向に延在する複数の映像信号線が形成された表示領域と、前記表示領域の周辺に配置され一端が前記映像信号線に他端がドライバに接続された複数の引出配線が形成された周辺領域とを備えた表示装置において、
互いに隣接する前記引出配線は、それぞれ前記走査信号線と同一材料の同層配線或いは前記映像信号線と同一材料の同層配線が並行して配列された第１部分と、前記第１部分に隣接して配列され前記走査信号線と同一材料の同層配線と前記映像信号線と同一材料の同層配線とが並行する第２部分と、前記第２部分に隣接して配列され前記走査信号線と同一材料の同層配線が並行する第３部分とを有することを特徴とする表示装置とする。
【０００９】
また、第１方向に延在する複数の走査信号線及び前記第１方向と直交する第２方向に延在する複数の映像信号線が形成された表示領域と、前記表示領域の周辺に配置され一端が前記映像信号線に他端がドライバに接続された複数の引出配線が形成された周辺領域とを備えた表示装置において、
複数の前記引出配線は、前記表示領域側で前記第２方向に延在する第１部分と、前記第２方向に対して斜め方向に延在する第２部分と、前記ドライバ側で前記第２方向に延在する第３部分とを有し、
前記第１部分において互いに隣接する前記引出配線は、前記走査信号線と同一材料の同層配線または前記映像信号線と同一材料の同層配線であり、
前記第２部分において互いに隣接する前記引出配線は積層配線構造を有し、隣接する引出配線の一方は映像信号線と同一材料の同層配線であり、他方は走査信号線と同一材料の同層配線であることを特徴とする表示装置とする。
【図面の簡単な説明】
【００１０】
【図１】コモントップ方式のＩＰＳ−ＰＲＯ方式の表示装置の画素部断面構造である。
【図２】ＩＰＳ−ＬＩＴＥ方式の表示装置の画素部断面構造である。
【図３】本発明の各実施例に係る、斜め配線部を備えた表示装置の概略平面図である。
【図４】本発明の第１の実施例に係る表装置において、図１乃至図３に示した表示装置の周辺領域の一部を示す概略平面図である。
【図５】本発明の第２の実施例に係る表装置において、図１乃至図３に示した表示装置の周辺領域の一部を示す概略平面図である。
【図６】本発明の第３の実施例に係る表装置において、図１乃至図３に示した表示装置の周辺領域の一部を示す概略平面図である。
【図７】従来のＴＦＴ基板の表示領域及び周辺領域におけるゲート電極配線とソース電極配線を模式的に示す図であり、（ａ）が平面図、（ｂ）がＡ−Ｂ線での断面図である。
【図８】本発明の第１の実施例に係る表装置において、図１乃至図３に示した表示装置の周辺領域の一部の他の例を示す概略平面図である。
【図９】本発明の第２の実施例に係る表装置において、図１乃至図３に示した表示装置の周辺領域の一部の他の例を示す概略平面図である。
【図１０】本発明の第３の実施例に係る表装置において、図１乃至図３に示した表示装置の周辺領域の一部の他の例を示す概略平面図である。
【発明を実施するための形態】
【００１１】
発明者等は、走査信号線（ゲート線）としてモリブデン（Ｍｏ）系材料を、映像信号線（ドレイン線）としてアルミニウム（Ａｌ）系材料を用い、映像信号引出配線を多層配線とした際、画像不良が生じる原因について検討した。その結果、小型表示パネルでは問題視されていなかった引出配線間の抵抗値のばらつきが疑われた。即ち、隣接する映像信号引出配線がＭｏ系材料の配線とＡｌ系材料の配線の多層構造であるため、Ｍｏ系材料を用いた映像信号引出配線とＡｌ系材料を用いた映像信号引出配線との間で抵抗値が互いに異なるため書込みの際に映像信号の伝達に差が生じ不良が発生するものと推定された。そこで、本発明においては、配線ピッチの小さな斜め配線部では多層配線を用い、それ以外の部分ではそれぞれの映像信号引出配線の抵抗値の差が小さくなるような構成とした。これにより、表示領域周辺、特に下額縁のサイズの縮小化が図れ、且つ画像不良が抑制され高品質画像を得ることができた。
【００１２】
以下、実施例を用いて本発明を詳細に説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等につて模式的に表わされる場合があるが、あくまで一例であって、本発明の解釈を限定するものではない。
また、本明細書と各図において、既出の図に関して前述したものと同様の要素には、同一の符号を付して、詳細な説明を適宜省略することがある。
【実施例１】
【００１３】
表示装置である液晶表示装置には、ＩＰＳ（In Plane Switching）方式、ＴＮ方式、ＶＡ方式等が存在するが、本発明は、そのいずれにも適用することが出来る。本発明に関連する第１ドレイン引出配線はゲート電極や査信号線と同層で形成され、第２ドレイン引出配線はドレイン電極や映像信号線と同層で形成される。そこで先ず、液晶表示パネルの断面構造を説明する。液晶表示装置には多くの種類の方式が存在するので、その全てを説明することは出来ないので、代表例として、２種類のＩＰＳ方式の表示装置の断面構造について説明する。
【００１４】
図１は、いわゆるコモントップタイプのＩＰＳ方式の液晶表示装置のＴＦＴを含む画素部の断面図である。図１において、ガラス製のＴＦＴ基板１００の上にゲート電極１０１が形成され、これを覆ってゲート絶縁膜１０２が形成されている。ゲート電極１０１は走査信号線に接続されており、ＭｏＷ合金あるいはＭｏＣｒ合金等のＭｏ系材料を用いて走査信号線と同一材料の同層で形成される。ゲート絶縁膜１０２を挟んでゲート電極１０１の上方に半導体層１０３が形成されている。半導体層１０３の上には、ドレイン電極１０４とソース電極１０５がチャネル領域を挟んで対向して形成されている。ドレイン電極１０４は、映像信号線（ドレイン線）に接続されている。ドレイン電極１０４およびソース電極１０５は、Ａｌ合金を用いて映像信号線と同一材料の同層で形成される。
【００１５】
ドレイン電極１０４とソース電極１０５を覆ってパッシベーション膜１０６が形成されている。パッシベーション膜１０６の上には、平面（べた形状）で画素電極１０７がＩＴＯによって形成されている。画素電極１０７とＴＦＴから延在したソース電極１０５とは、パッシベーション膜１０６に形成されたスルーホールを介して接続されている。画素電極１０７の上には層間絶縁膜１０８が形成され、層間絶縁膜１０８の上に、スリット１０９ａを有するコモン電極１０９が形成されている。
【００１６】
コモン電極１０９は画面全体にわたって、共通に形成されている。コモン電極１０９は、透明導電膜であるＩＴＯ（Indium Tin Oxide）によって形成されるが、ＩＴＯは電気抵抗が大きいので、コモン電極１０９全体を均一な電位とするために、コモン電極１０９の上に抵抗の低いコモン金属１１０が、光が透過しない部分に形成される。コモン電極１０９およびコモン金属１１０を覆って配向膜１１１が形成されている。
【００１７】
図１において、液晶３００を挟んで、対向基板２００が配置されている。対向基板２００にはブラックマトリクス２０２とカラーフィルタ２０１が形成され、これらを覆ってオーバーコート膜２０３が形成されている。オーバーコート膜２０３の上には、配向膜１１１が形成されている。図１のＴＦＴ基板１００において、画素電極１０７に電圧が印加されると、コモン電極１０９と画素電極１０７の間に電気力線が発生し、液晶分子３０１を回転させて液晶３００の透過率を画素毎に制御し、画像を形成する。
【００１８】
図２は、いわゆる別のタイプのＩＰＳ方式の液晶表示装置のＴＦＴを含む画素部の断面図であり、コモン電極１０９が最上層に形成されるコモントップタイプである。図２において、ＴＦＴ基板１００上に、ゲート電極１０１、ゲート絶縁膜１０２、半導体層１０３、ドレイン電極１０４、ソース電極１０５が形成されるまでは、先に説明したＩＰＳ方式と同様である。符号１３３は映像信号線（ドレイン線）を示しており、ドレイン電極１０４と同一材料（Ａｌ系材料）を用いて同層で形成される。図２において、ドレイン電極１０４およびソース電極１０５を形成後、絶縁膜を介さずに、ＩＴＯによって画素電極１０７が形成される。
【００１９】
画素電極１０７の上にはパッシベーション膜１０６が形成され、パッシベーション膜１０６の上には、画素の部分にスリット１０９ａを有するコモン電極１０９が形成される。コモン電極１０９は画面全体に共通に形成される。コモン電極１０９の電位を均一にするために、光が透過しない部分のコモン電極１０９の上にコモン金属１１０が形成される。
【００２０】
図２において、液晶３００を挟んで対向基板２００が配置している。対向基板２００の構成は図１で説明した液晶表示装置の場合と同様であるので、説明を省略する。
【００２１】
図３は、本実施例に係る、斜め配線部を備えた表示装置の概略平面図である。図３において、ＴＦＴ基板１００と対向基板２００とを重ねた領域に表示領域１０が形成されている。ＴＦＴ基板１００は対向基板２００よりも大きく形成されており、ＴＦＴ基板１００が１枚となった部分は、対向基板端部２２０からＴＦＴ基板端部３６０迄の領域であり、この部分に液晶表示装置を駆動するドライバ３５０が搭載されている。表示領域１０の下側には映像信号線（ドレイン線）に接続され斜め配線を有する映像引出配線１６が配置されており、ドライバ３５０に接続されている。なお、製品端部（ＴＦＴ基板端部）３６０端子部近傍には、液晶表示パネルに電源や走査信号、映像信号等を供給するための、図示しないフレキシブル配線基板が接続される。また、図３においては、走査信号引出配線は省略されている。符号２２５は対向基板２００の額縁部（ＣＦ額縁部）を示す。
【００２２】
次に、本実施例の映像信号引出配線の構成について図４を用いて説明する。図４においては、斜め配線部３７０迄（図面上側）はゲート電極（走査信号線）と同一材料の同層配線１６０とし、斜め配線部３７０で多層配線、即ち隣接する一方はそのままゲート電極と同一材料の同層配線１６０とし、他方はコンタクトホール１７０でドレイン電極（映像信号線）と同一材料の同層配線１６１とする。斜め配線部３７０以降（図面下側）において配線が上下方向に切り替わるところで全てゲート電極と同一材料の同層配線１６０とする。特に、対向基板２００の下端における額縁部２２５に対応するＴＦＴ基板上のパッシベーション膜（有機平坦化膜等）や層間絶縁膜（低温形成のＳｉＮ膜等）は、対向基板とＴＦＴ基板とをシールするためのシール材の密着性を向上させるためには配置しないことが望ましい。その場合、対向基板下端の額縁部２２５を跨ぐＴＦＴ基板上の配線としてドレイン電極と同一材料の同層配線を用いると配線がむき出し構造となるため、本実施例では対向基板下端の額縁部２２５を跨ぐ配線はゲート電極と同一材料の同層配線を用いた。
【００２３】
斜め配線部の表示領域側（図面上側）と斜め配線部のＩＣドライバ側（図面下側）の引出配線をゲート電極と同一材料の同層配線１６０とし、斜め配線部３７０の引出配線においてのみ隣接する引出配線を積層配線構造とし、それぞれゲート電極と同一材料の同層配線１６０とドレイン電極と同一材料の同層配線１６１とすることにより、表示領域側から斜め配線部まで互いに隣接する引出配線の配線材料が異なる場合に比べて抵抗が異なる材料の長さを短くすることができるため、隣接する引出配線間の抵抗値の差を小さくすることができる。なお、隣接する配線の間隔は配線が上下方向に配置されている場合に比べ斜めに配置された場合の方が小さいため（例えば、図４参照）、配線が斜めとなる領域のみへの多層構造の適用は有効である。
【００２４】
図８は本実施例の表示装置における引出配線の他の例を示す。図８に示す引出配線は斜め配線部の表示領域側（図面上側）においてドレイン電極と同一材料の同層配線である点で図４の引出配線と異なる。配線抵抗に関し基本的な考えは図４の構成と同じであり詳細な説明は省略する。
【００２５】
図４や図８に示す引出配配線の構成を用いて図３に示す狭ピッチの斜め配線を有する狭額縁の表示装置を作製したところ、引出配線間の抵抗差が低減され、画質の劣化を抑制することができた。
【００２６】
以上、本実施例によれば、斜め配線部を多層構造とすることにより表示領域周辺（特に下額縁）のサイズの縮小化と高品質画像の両立が可能な表示装置を提供することができる。また、対向基板下端の額縁部に対応するＴＦＴ基板上の引出配線をゲート電極と同一材料の同層配線とすることにより、対向基板とＴＦＴ基板とのシール密着性が損なわれることはない。
【実施例２】
【００２７】
本発明に係る第２の実施例について図５を用いて説明する。なお、実施例１に記載され本実施例に未記載の事項は特段の事情が無い限り本実施例にも適用することができる。
【００２８】
本実施例の映像信号引出配線の構成について図５を用いて説明する。図５においては、斜め配線部３７０迄（図面上側）は図４と同様にゲート電極と同一材料の同層配線１６０とし、斜め配線部３７０で多層配線、即ち隣接する一方はそのままゲート電極と同一材料の同層配線１６０とし、他方はコンタクトホール１７０でドレイン電極と同一材料の同層配線１６１とする。斜め配線部３７０以降（図面下側）において配線が上下方向に切り替わるところでドレイン電極と同一材料で同層配線１６１はコンタクトホール１７０を介してゲート電極と同一材料の同層配線１６０と接続する。一方、ゲート電極と同一材料の同層配線１６０はコンタクトホール１７０を介してドレイン電極と同一材料で同層配線１６１に接続し、対向基板下端の額縁部２２５の手前で再度コンタクトホールを介してゲート電極と同一材料の同層配線１６０に接続する。対向基板下端の額縁部２２５を跨ぐ配線はゲート電極と同一材料の同層配線１６０を用いた。
【００２９】
斜め配線部の表示領域側の引出配線をゲート電極と同一材料の同層配線１６０とし、斜め配線部３７０の引出配線において隣接する引出配線を積層配線構造としそれぞれゲート電極と同一材料の同層配線１６０（Ｍｏ系材料、比較的高抵抗配線）とドレイン電極と同一材料の同層配線１６１（Ａｌ系材料、比較的低抵抗配線）とし、更に、斜め配線部でドレイン電極と同一材料で同層配線（比較的低抵抗配線）はゲート電極と同一材料で同層配線（比較的高抵抗）に接続し、斜め配線部でゲート電極と同一材料で同層配線（比較的高抵抗配線）はドレイン電極と同一材料で同層配線（比較的低抵抗配線）に接続した。斜め配線部でドレイン電極と同一材料で同層配線（比較的低抵抗配線）はゲート電極と同一材料で同層配線（比較的高抵抗配線）に接続し、斜め配線部でゲート電極と同一材料で同層配線（比較的高抵抗配線）はドレイン電極と同一材料で同層配線（比較的低抵抗配線）に接続することにより、互いに隣接する引出配線において抵抗が異なる材料の長さを揃えるように調整することができるため、隣接する引出配線間の抵抗値の差を小さくすることができる。その際、引出配線の長さ自体が表示領域の端部で長く、中央部で短くなっていることを考慮して引出配線同士の抵抗値が揃うように調整することができる。
【００３０】
図９は本実施例の表示装置における他の引出配線の例を示す。図９に示す引出配線は斜め配線部の表示領域側（図面上側）においてドレイン電極と同一材料の同層配線である点で図５の引出配線と異なる。配線抵抗に関し基本的な考えは図５の構成と同じであり詳細な説明は省略する。
【００３１】
図５や図９に示す引出配配線の構成を用いて図３に示す狭ピッチの斜め配線を有する狭額縁の表示装置を作製したところ、引出配線間の抵抗差が低減され、画質の劣化を抑制することができた。
【００３２】
以上、本実施例によれば、斜め配線部を多層構造とすることにより実施例１と同様の効果を得ることができる。また、斜め配線部における高抵抗配線を低抵抗配線に接続し、斜め配線部における低抵抗配線を高抵抗配線に接続することにより、互いに隣接する引出配線の抵抗値が揃うように調整できるため実施例１に比べ更に高画質化を図ることができる。
【実施例３】
【００３３】
本発明に係る第３の実施例について図６を用いて説明する。なお、実施例１に記載され本実施例に未記載の事項は特段の事情が無い限り本実施例にも適用することができる。
【００３４】
本実施例の映像信号引出配線の構成について図６を用いて説明する。図６においては、斜め配線部３７０迄（図面上側）は基本的にはゲート電極と同一材料の同層配線１６０（Ｍｏ系材料、比較的高抵抗）とするが、互いに隣接する引出配線の一部をドレイン電極と同一材料の同層配線１６１（Ａｌ系材料、比較的低抵抗）の多層配線とする。斜め配線部３７０は多層配線とする。その際、斜め配線部の手前でドレイン電極と同一材料の同層配線に接続されていない引出配線（比較的高抵抗）はコンタクトホール１７０を介してドレイン電極と同一材料の同層配線１６１（比較的低抵抗）に接続し、ドレイン電極と同一材料の同層配線（比較的低抵抗）に接続された後ゲート電極と同一材料の同層配線１６０に接続されていた引出配線は斜め配線部においてもそのままゲート電極と同一材料の同層配線１６０（比較的高抵抗）とする。斜め配線部３７０以降（図面下側）において配線が上下方向に切り替わるところでドレイン電極と同一材料で同層配線１６１はコンタクトホール１７０を介してゲート電極と同一材料の同層配線１６０と接続し、全てゲート電極と同一材料の同層配線１６０とする。対向基板下端の額縁部２２５を跨ぐ配線はゲート電極と同一材料の同層配線１６０を用いた。
【００３５】
斜め配線部の表示領域側（図面上側）の引出配線の一部を多層配線とし、ドレイン電極と同一材料の同層配線（比較的低抵抗配線）に接続された引出配線は斜め配線部でもゲート電極と同一材料の同層配線１６０（比較的高抵抗配線）のままとする。一方、ドレイン電極と同一材料の同層配線に接続されていない引出配線（比較的高抵抗配線）は、斜め配線部３７０においてコンタクトホール１７０を介してドレイン電極と同一材料の同層配線（比較的低抵抗配線）に接続する。これにより、互いに隣接する引出配線において抵抗が異なる材料の長さを揃えるように調整することができるため、隣接する引出配線間の抵抗値の差を小さくすることができる。その際、引出配線の長さ自体が表示領域の端部で長く、中央部で短くなっていることを考慮して引出配線同士の抵抗値が揃うように調整することができる。
【００３６】
図１０は本実施例の表示装置における他の引出配線の例を示す。図１０に示す引出配線は斜め配線部の表示領域側（図面上側）において基本的にはドレイン電極と同一材料の同層配線である点で図６の引出配線と異なる。配線抵抗に関し基本的な考えは図６の構成と同じであり詳細な説明は省略する。
【００３７】
図６や図１０に示す引出配配線の構成を用いて図３に示す狭ピッチの斜め配線を有する狭額縁の表示装置を作製したところ、引出配線間の抵抗差が低減され、画質の劣化を抑制することができた。
【００３８】
以上、本実施例によれば、斜め配線部を多層構造とすることにより実施例１と同様の効果を得ることができる。また、斜め配線部における高抵抗配線を低抵抗配線に接続し、斜め配線部における低抵抗配線を高抵抗配線に接続することにより、互いに隣接する引出配線の抵抗値が揃うように調整できるため実施例１に比べ更に高画質化を図ることができる。
【００３９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。例えば、コモントップのＩＰＳ方式の液晶表示装置に限られず、画素電極がコモン電極よりも液晶層側に設けられるソーストップ構造であってもよい。また、液晶表示装置に限らす、ＯＬＥＤ型の表示装置に適用することも可能である。また、トランジスタの構成は、ボトムゲートであってもトップゲートであってもよい。ゲート電極は、アルミニウムと高融点金属との積層構造であったり、銅を用いたものであってもよい。ドレイン電極は、銅を用いたものであってもよい。
【００４０】
本発明の思想の範疇において、当業者であれば、各種の変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
また、本実施形態において述べた態様によりもたらされる他の作用効果について本明細書記載から明らかなもの、又は当業者において適宜想到し得るものについては、当然に本発明によりもたらされるものと解される。
【符号の説明】
【００４１】
１０…表示領域、１６…ドレイン引出配線（映像信号引出配線）、１００…ＴＦＴ基板、１０１…ゲート電極、１０２…ゲート絶縁膜、１０３…半導体層、１０４…ドレイン電極、１０５…ソース電極、１０６…パッシベーション膜、１０７…画素電極、１０８…層間絶縁膜、１０９…コモン電極、１０９a…スリット、１１０…コモン金属、１１１…配向膜、１３３…映像信号線（ドレイン線）、１６０…第１ドレイン引出配線（ゲートメタル同層配線）、１６１…第２ドレイン引出配線（ドレインメタル同層配線）、１７０…コンタクトホール、２００…対向基板、２０１…カラーフィルタ、２０２…ブラックマトリクス、２０３…オーバーコート膜、２２０…対向基板（ＣＦ基板）端部、２２５…対向基板額縁部（ＣＦ額縁部）、３００…液晶、３０１…液晶分子、３５０…ドライバ、３６０…製品端（ＴＦＴ基板端部）、３７０…斜め配線部、４００…画像表示部、４０１…画素電極、４０２…走査信号線端子、４０３…映像信号線端子、４０５…走査信号線、４０６…映像信号線、４０７…ガラス基板、４０８…第１引出配線（走査信号線同層配線）、４０９…絶縁層、４１０…第２引出配線（映像信号線同層配線）、４１１…第１コンタクトホール、４１２…映像信号引出配線、４１３…第２コンタクトホール。
【図１】
2016218130.tif 000003
【図２】
2016218130.tif 000004
【図３】
2016218130.tif 000005
【図４】
2016218130.tif 000006
【図５】
2016218130.tif 000007
【図６】
2016218130.tif 000008
【図７】
2016218130.tif 000009
【図８】
2016218130.tif 000010
【図９】
2016218130.tif 000011
【図１０】
2016218130.tif 000012